(57)【要約】【課題】  簡単な操作で、現在視聴中の曲を次の放送の機会に視聴することができる「デジタル放送受信機」を提供すること。【解決手段】  複数のチャンネルが含まれるデジタル放送を受信するチューナ部１０、復調部１４、デコーダ１６と、受信中のデジタル放送に含まれる一のチャンネルに対応した音声出力処理を行う音声処理部１８、アンプ２０、スピーカ２２と、音声出力中の楽曲を特定する楽曲情報を抽出する楽曲情報抽出部３４と、抽出された楽曲情報で特定される楽曲の放送タイミングを示す情報を通知する通知部３８とを備えている。【選択図】        図１
2006253979.tif 000002
【特許請求の範囲】
【請求項１】
複数のチャンネルが含まれるデジタル放送を受信する受信手段と、
前記受信手段によって受信中のデジタル放送に含まれる一のチャンネルに対応した音声出力処理を行う音声処理手段と、
前記音声処理手段によって音声出力中の楽曲を特定する楽曲情報を抽出する楽曲情報抽出手段と、
前記楽曲情報抽出手段によって抽出された前記楽曲情報で特定される楽曲の放送タイミングを示す情報を通知する通知手段と、
を備えることを特徴とするデジタル放送受信機。
【請求項２】
請求項１において、
前記チャンネルに対応する放送内容は、所定時間間隔で同じ内容が繰り返し放送されており、
前記複数のチャンネルのそれぞれに対応する放送内容を監視することにより、前記楽曲情報で特定される楽曲が次に放送される開始時刻を推定する放送時刻推定手段をさらに備え、
前記通知手段によって行われる通知には、前記放送時刻推定手段によって推定された開始時刻が含まれていることを特徴とするデジタル放送受信機。
【請求項３】
請求項２において、
前記通知手段によって行われる通知には、前記楽曲情報で特定される楽曲を放送しているチャンネルを特定する情報とこの楽曲の名称とが含まれていることを特徴とするデジタル放送受信機。
【請求項４】
請求項１〜３のいずれかにおいて、
前記通知手段は、前記音声処理手段によって楽曲の途中から音声出力が開始され、最後まで音声出力が継続して行われた楽曲に対応して通知を行うことを特徴とするデジタル放送受信機。
【請求項５】
請求項１〜３のいずれかにおいて、
利用者によって操作される操作手段をさらに備え、
前記通知手段は、前記操作手段を用いて所定の操作がなされたときに前記音声処理手段によって音声出力中の楽曲に対応して通知を行うことを特徴とするデジタル放送受信機。
【請求項６】
請求項１〜５のいずれかにおいて、
前記音声処理手段による音声出力処理の対象となっているチャンネルの放送中の放送内容を表示するとともに、同じ表示画面内において前記通知手段による通知内容を表示する表示手段をさらに備えることを特徴とするデジタル放送受信機。
【発明の詳細な説明】
【技術分野】
【０００１】
本発明は、音楽番組を受信するデジタル放送受信機に関する。
【背景技術】
【０００２】
従来から、音楽番組を受信してその内容の視聴を可能にしたデジタル放送受信機が知られている。例えば、利用者が曲名等のキーワードを指定することにより、指定されたキーワードが含まれる番組の選択を容易にしたデジタル放送受信機（例えば、特許文献１参照。）や、現在視聴している曲が収録されているアルバムの他の曲を放送しているチャンネルを検索して通知するようにしたデジタル放送受信機（例えば、特許文献２参照。）などが知られている。
【特許文献１】特開平１０−２１５４１９号公報（第３−６頁、図１−１１）
【特許文献２】特開２００２−３１４４９５号公報（第２−５頁、図１−９）
【発明の開示】
【発明が解決しようとする課題】
【０００３】
ところで、デジタル放送受信機で所望のアーティストの曲の視聴を行う場合に、特許文献１に開示されたデジタル放送受信機では、前もってその曲名やアーティスト名をキーワードとして入力する必要があるため、操作が煩雑になるという問題があった。特に車載のデジタル放送受信機の場合には、受信機の筐体やリモコン等が小さいため、しかも運転席や助手席等の狭い車室内空間においてキーワード入力作業を行うことになるため作業自体が容易ではない。また、チャンネルを切り替えたときに途中から視聴した曲（先頭から聞き逃した曲）を次の機会に優先的に視聴したいと考えた場合に、特許文献２に開示されたデジタル放送受信機ではそのような曲を優先的に通知して視聴することができないという問題があった。
【０００４】
本発明は、このような点に鑑みて創作されたものであり、その目的は、簡単な操作で、現在視聴中の曲を次の放送の機会に視聴することができるデジタル放送受信機を提供することにある。
【課題を解決するための手段】
【０００５】
上述した課題を解決するために、本発明のデジタル放送受信機は、複数のチャンネルが含まれるデジタル放送を受信する受信手段と、受信手段によって受信中のデジタル放送に含まれる一のチャンネルに対応した音声出力処理を行う音声処理手段と、音声処理手段によって音声出力中の楽曲を特定する楽曲情報を抽出する楽曲情報抽出手段と、楽曲情報抽出手段によって抽出された楽曲情報で特定される楽曲の放送タイミングを示す情報を通知する通知手段とを備えている。これにより、現在視聴中の楽曲が次に放送されるタイミングを知らせる通知が行われるため、利用者は、次の機会に確実にこの楽曲を視聴することができる。また、視聴を希望する楽曲を特定するために必要なキーワード入力等が不要になるため、操作の簡略化が可能になる。
【０００６】
また、上述したチャンネルに対応する放送内容は、所定時間間隔で同じ内容が繰り返し放送されており、複数のチャンネルのそれぞれに対応する放送内容を監視することにより、楽曲情報で特定される楽曲が次に放送される開始時刻を推定する放送時刻推定手段をさらに備え、通知手段によって行われる通知には、放送時刻推定手段によって推定された開始時刻が含まれていることが望ましい。このように繰り返し放送される放送内容を監視することにより、使用を希望する楽曲の次の放送タイミングでの視聴を逃すことなく確実に行うことが可能になる。
【０００７】
また、上述した通知手段によって行われる通知には、楽曲情報で特定される楽曲を放送しているチャンネルを特定する情報とこの楽曲の名称とが含まれていることが望ましい。これにより、楽曲を音声出力中のチャンネル以外の他のチャンネルで同じ楽曲が放送される場合であっても、利用者は、どのチャンネルで視聴を希望する楽曲が放送されるかを容易に知ることができる。
【０００８】
また、上述した通知手段は、音声処理手段によって楽曲の途中から音声出力が開始され、最後まで音声出力が継続して行われた楽曲に対応して通知を行うことが望ましい。これにより、視聴を希望しているが全体を聞き逃した楽曲について次の機会に確実に視聴することができるようになる。
【０００９】
また、利用者によって操作される操作手段をさらに備え、通知手段は、操作手段を用いて所定の操作がなされたときに音声処理手段によって音声出力中の楽曲に対応して通知を行うことが望ましい。これにより、音声出力中の楽曲が気に入った場合等において所定の操作を行うだけで楽曲の選択操作を行うことができるため、キーワード入力操作等に比べて操作の簡略化が可能になる。
【００１０】
また、上述した音声処理手段による音声出力処理の対象となっているチャンネルの放送中の放送内容を表示するとともに、同じ表示画面内において通知手段による通知内容を表示する表示手段をさらに備えることが望ましい。これにより、希望する楽曲が放送されることを容易かつ確実に利用者に知らせることができる。
【発明を実施するための最良の形態】
【００１１】
以下、本発明を適用した一実施形態のデジタル放送受信機について、図面を参照しながら説明する。
【００１２】
図１は、一実施形態のデジタル放送受信機の構成を示す図である。図１に示すように、本実施形態のデジタル放送受信機は、チューナ部１０、復調部１４、デコーダ１６、音声処理部１８、アンプ２０、スピーカ２２、映像処理部２４、表示部２６、操作部２８、制御部３０を備えている。このデジタル放送受信機は、例えば、放送衛星を介して配信されるモバイル放送を受信する動作を行っている。また、このモバイル放送では、音声のみが含まれるチャンネルと音声と映像が含まれるチャンネル等が混在しており、各チャンネル毎に同じ放送内容が一定周期で繰り返し放送されているものとする。本実施形態では、複数の楽曲が順番に配信される音楽番組のチャンネルを受信するものとする。
【００１３】
チューナ部１０は、アンテナ１２を介して放送衛星（図示せず）から送信される放送信号を受信し、これを復調部１４に向けて出力する。復調部１４は、チューナ部１０によって受信した放送信号を復調し、放送信号に含まれる各チャンネルの放送データを出力する。デコーダ１６は、復調部１４によって復調された放送データを制御部３０に出力するとともに、放送データをデコードして非圧縮の音声データや映像データなどの放送コンテンツを再生する。
【００１４】
音声処理部１８は、デコーダ１６から出力された音声データをアナログ音声信号に変換する。このアナログ音声信号は、アンプ２０によって増幅され、スピーカ２２から出力される。また、映像処理部２４は、デコーダ１６から出力された映像データを所定形式（例えばＮＴＳＣ形式やＲＧＢ形式）のアナログ映像信号に変換する。このアナログ映像信号は表示部２６に入力され、番組内容の映像が表示部２６に表示される。
【００１５】
操作部２８は、視聴を希望するチャンネル切替操作や音量設定等を行うものであり、各種のキーやスイッチ類を備えている。また、本実施形態では、現在視聴中の楽曲を選択する操作が利用者によって行われるが、操作部２８には、この選択操作を行うための「選択」キーが備わっている。
【００１６】
制御部３０は、デジタル放送受信機全体の動作を制御する。例えば、操作部２８を用いてチャンネルの変更指示が行われると、制御部３０は、復調部１４やデコーダ１６に指示を送って、その時点で音声出力や映像出力の対象となっているチャンネルを変更する処理を行う。なお、本実施形態のデジタル放送受信機では、音声出力や映像出力の対象となっているチャンネル以外の各チャンネルについても並行して付加情報の抽出が行われる。例えば、音楽番組の場合には、この付加情報には各チャンネルに対応した番組名、曲名、アーティスト名などが含まれており、各チャンネル毎に抽出される付加情報がデコーダ１６から制御部３０に送られる。
【００１７】
また、本実施形態では、利用者が視聴を希望する楽曲を特定し、この楽曲の放送タイミングを示す情報を通知する処理を行っている。このために、制御部３０は、放送内容記録部３２、楽曲情報抽出部３４、放送時刻推定部３６、通知部３８を備えている。放送内容記録部３２は、各チャンネルの付加情報を放送時刻とともに記録する。なお、この記録は、音楽番組を放送内容とするチャンネルについて行われる。また、放送内容が一巡した場合には、曲名とアーティスト名が一致する楽曲については放送時刻のみを更新するようにしてもよい。
【００１８】
楽曲情報抽出部３４は、音声処理部１８によってスピーカ２２から音声出力中の楽曲を特定する楽曲情報を抽出する。この楽曲情報の抽出は、（１）楽曲の途中から音声出力が開始されて最後まで音声出力が継続して行われた楽曲と、（２）操作部２８の「選択」キーが押下されたときに音声出力中の楽曲について行われる。楽曲情報としては、少なくとも曲名とアーティスト名が含まれる。アーティスト名とは、楽曲が音声を伴っている場合には原則的にはその発声者を指すが、この楽曲の演奏者、作詞者、作曲者等であってもよい。また、楽曲の途中から最後まで音声出力が継続して行われている場合であっても音声出力時間が短い場合（例えば１分以内）の場合には楽曲情報の抽出対象から除外するようにしてもよい。
【００１９】
放送時刻推定部３６は、音楽番組に対応する複数のチャンネルのそれぞれについて放送内容を監視し、楽曲情報抽出部３４によって抽出した楽曲情報で特定される楽曲が次に放送される開始時刻を推定する。本実施形態のデジタル放送受信機において受信対象としているモバイル放送では、チャンネルに対応する放送内容は所定時間間隔で同じ内容が繰り返し放送されている。したがって、一巡する放送内容に対応する全ての付加情報が放送内容記録部３２に記録された後であれば、楽曲情報で特定される楽曲を検索し（例えば楽曲情報に含まれる曲名とアーティスト名が一致する楽曲の有無を検索する）、その曲の開始時刻に放送内容が一巡する時間を加算することにより、次にその曲が放送される開始時刻を推定することができる。
【００２０】
通知部３８は、楽曲情報抽出部３４によって抽出された楽曲情報で特定される楽曲の放送タイミングを示す情報を通知する処理を行う。この通知は、表示部２６の表示画面内において、楽曲を放送するチャンネル（あるいはこのチャンネルに対応する放送局名）、番組名、曲名、アーティスト名、この楽曲の放送開始時刻等を含む通知内容を表示する形式で行われる。
【００２１】
上述したチューナ部１０、復調部１４、デコーダ１６が受信手段に、音声処理部１８、アンプ２０、スピーカ２２が音声処理手段に、楽曲情報抽出部３４が楽曲情報抽出手段に、通知部３８が通知手段に、放送時刻推定部３６が放送時刻推定手段に、操作部２８が操作手段にそれぞれ対応する。
【００２２】
本実施形態のデジタル放送受信機はこのような構成を有しており、次にその動作を説明する。図２は、本実施形態のデジタル放送受信機の動作手順を示す流れ図である。電源スイッチ（図示せず）が投入されてデジタル放送受信機の各部が動作を開始すると、制御部３０内の放送内容記録部３２は、受信したデジタル放送に含まれる各チャンネルの放送内容の記録を開始する（ステップ１００）。この記録には、音楽番組に対応する各チャンネルに含まれる楽曲毎の曲名、アーティスト名、放送時刻が含まれている。
【００２３】
次に、楽曲情報抽出部３４は、動作開始後に音声出力を開始したチャンネルの放送内容が音楽番組であって、楽曲の途中から音声出力がなされたか否かを判定する（ステップ１０１）。音声出力の対象となるチャンネルの放送内容が音楽番組でない場合（ニュース番組や語学番組等の場合）や楽曲の先頭部分から音声出力が開始された場合等には否定判断が行われる。次に、楽曲情報抽出部３４は、楽曲に対応する音声出力が行われているときに操作部２８を用いて利用者による選択操作が行われたか否かを判定する（ステップ１０２）。楽曲の音声出力が行われていない場合や楽曲の音声出力中ではあるが操作部２８の「選択」キーが押下されない場合には否定判断が行われる。次に、楽曲情報抽出部３４は、音声出力中のチャンネルの変更操作が行われたか否かを判定する（ステップ１０３）。チャンネル変更操作がなされない場合には否定判断が行われ、ステップ１０２に戻って選択操作の有無判定が繰り返される。一方、チャンネル変更操作がなされた場合には肯定判断が行われ、ステップ１０１に戻って楽曲の途中からの音声出力の有無判定が繰り返される。
【００２４】
また、音声出力の対象となるチャンネルの放送内容が音楽番組であって楽曲の途中から音声出力が開始された場合にはステップ１０１の判定において肯定判断が行われ、次に、楽曲情報抽出部３４は、楽曲の最後まで音声出力が終了したか否かを判定する（ステップ１０４）。楽曲の最後まで到達していない場合には否定判断が行われ、ステップ１０２に戻って選択操作の有無判定が繰り返される。一方、楽曲の最後まで音声出力が終了した場合には肯定判断が行われる。次に、あるいは選択操作が行われてステップ１０２の判定において肯定判断が行われた後に、楽曲情報抽出部３４は、音声出力が終了あるいは選択操作が行われた楽曲に対応する楽曲情報を抽出する（ステップ１０５）。
【００２５】
次に、放送時刻推定部３６は、放送内容記録部３２によって記録された各チャンネルの放送内容の中に、放送時刻が推定可能な同じ楽曲が存在するか否かを判定する（ステップ１０６）。存在する場合には肯定判断が行われ、次に、放送時刻推定部３６は、この楽曲が含まれるチャンネルやこの楽曲の放送開始時刻を推定する（ステップ１０７）。次に、通知部２８は、推定された放送内容等を含む通知情報を映像処理部２４に出力し、表示部２６の表示画面を用いて楽曲が次に放送されるタイミングを知らせる所定の通知を行う（ステップ１０８）。
【００２６】
図３は、楽曲の次の放送タイミングを通知する画面の具体例を示す図である。図３に示すように、表示部２６の表示画面には、現在音声出力中の楽曲の付加情報が含まれるメイン領域Ｍと、通知部３８による通知内容が含まれるサブ領域Ｓとが存在する。例えば、メイン領域には、音声出力中のチャンネルに対応する放送局名、番組名、曲名、アーティスト名が含まれている。また、サブ領域には、放送時刻推定部３６によって次の放送タイミングが推定された楽曲を放送するチャンネルに対応する放送局名、番組名、曲名、アーティスト名、放送推定時刻からなる通知内容が含まれている。
【００２７】
また、放送内容記録部３２によって記録された各チャンネルの放送内容の中に放送時刻が推定可能な同じ楽曲が存在しない場合にはステップ１０６の判定において否定判断が行われる。この場合には表示画面を用いた通知は行わない。なお、通知が行われない場合には、図３に示したサブ領域Ｓが含まれない表示が行われる。その後、あるいはステップ１０８によるサブ領域Ｓを用いた通知が行われた後、放送時刻推定部３６は、操作部２８を用いてチャンネル変更操作が行われたか否かを判定し（ステップ１０９）、この操作が行われない場合には否定判断が行われてステップ１０６に戻って同じ楽曲の有無判定が繰り返される。また、チャンネル変更操作が行われた場合にはステップ１０９の判定において肯定判断が行われ、ステップ１０１に戻って楽曲の途中からの音声出力の有無判定が繰り返される。
【００２８】
このように、本実施形態のデジタル放送受信機では、現在視聴中（音声出力中）の楽曲が次に放送されるタイミングを知らせる通知が行われるため、利用者は、次の機会に確実にこの楽曲を視聴することができる。また、視聴を希望する楽曲を特定するために必要なキーワード入力等が不要になるため、操作の簡略化が可能になる。特に、所定時間間隔で同じ内容が繰り返し放送される音楽番組の内容を監視することにより、視聴を希望する楽曲の次の放送タイミングを推定することが可能になるため、希望する楽曲の視聴を逃すことなく確実に行うことが可能になる。
【００２９】
また、視聴を希望する楽曲を放送しているチャンネルを特定する情報（例えば放送局名）とこの楽曲の名称とを通知に含ませることにより、楽曲を音声出力中のチャンネル以外の他のチャンネルで同じ楽曲が放送される場合であっても、利用者は、どのチャンネルで視聴を希望する楽曲が放送されるかを容易に知ることができる。また、楽曲の途中から音声出力が開始され、最後まで音声出力が継続して行われた楽曲について通知を行うことにより、視聴を希望しているが全体を聞き逃した楽曲について次の機会に確実に視聴することができるようになる。あるいは、利用者によって所定の操作（「選択」キーの押下）がなされたときに音声出力中の楽曲について通知を行うことにより、音声出力中の楽曲が気に入った場合等において所定の操作を行うだけで楽曲の選択操作を行うことができるため、キーワード入力操作等に比べて操作の簡略化が可能になる。また、音声出力中のチャンネルの放送内容を表示するとともに、同じ表示画面内において通知内容を表示することにより、希望する楽曲が放送されることを容易かつ確実に利用者に知らせることができる。
【００３０】
なお、本発明は上記実施形態に限定されるものではなく、本発明の要旨の範囲内において種々の変形実施が可能である。例えば、上述した実施形態では、放送内容が一巡して、特定された楽曲の次の放送時刻が推定可能な場合に所定の通知を行うようにしたが、放送内容が一巡する前には次の放送時刻を推定することができない。このような場合には、図３に示すサブ領域Ｓに含まれる通知内容において放送時刻の項目を空白あるいは未定であることを示す文字を含ませるようにしてもよい。また、次の放送時刻を推定する前に、楽曲情報で特定される楽曲の放送が他のチャンネルで始まる場合（楽曲情報が抽出されたチャンネルの放送内容が一巡する前に、同じ楽曲が他のチャンネルにおいて放送される場合にはこのような自体が生じる）、他のチャンネルでこの楽曲の放送が始まったとき、あるいはこの楽曲の放送が始まることが事前にわかったときに、図３に示すサブ領域Ｓを用いて同様の通知を行うようにしてもよい。この場合には、サブ領域Ｓに含まれる通知内容において放送時刻の項目に「まもなく放送開始」あるいは「放送中」等の文字を含ませることが望ましい。
【００３１】
また、上述した実施形態では、図３に示すように楽曲の次の１回の放送タイミングのみを通知するようにしたが、同じ楽曲について２回以上の放送タイミングが存在することがわかった場合に、これら２回以上の放送タイミングを画面上に表示して通知を行うようにしてもよい。
【００３２】
また、上述した実施形態では、抽出された楽曲の次の放送タイミングを通知しただけだったが、次の放送タイミングが到来したときに、この通知内容に対応した楽曲の音声出力を行うようにチャンネルを切り替える制御を制御部３０によって行うようにしてもよい。
【図面の簡単な説明】
【００３３】
【図１】一実施形態のデジタル放送受信機の構成を示す図である。
【図２】本実施形態のデジタル放送受信機の動作手順を示す流れ図である。
【図３】楽曲の次の放送タイミングを通知する画面の具体例を示す図である。
【符号の説明】
【００３４】
１０  チューナ部
１２  アンテナ
１４  復調部
１６  デコーダ
１８  音声処理部
２０  アンプ
２２  スピーカ
２４  映像処理部
２６  表示部
２８  操作部
３０  制御部
３２  放送内容記録部
３４  楽曲情報抽出部
３６  放送時刻推定部
３８  通知部
【図１】
2006253979.tif 000003
【図２】
2006253979.tif 000004
【図３】
2006253979.tif 000005